(57)【要約】【課題】より多くの患者あるいは予防的に服薬を継続する利用者に対し、薬剤の服用における支援を行うことが可能な薬剤服用支援方法を提供する。【解決手段】登録された利用者の端末に服用する薬剤と服用日程の登録を促す画面を表示し、Ｗｅｂサーバにより、前記登録された利用者の端末により入力された薬剤と服用日程を受信し、前記登録された利用者に関連して、データサーバに前記受信した薬剤と服用日程を登録格納し、前記登録された利用者ごとに前記データサーバに登録格納された服用日程を監視し、前記服用日程における服用時期より所定の時間前に、メールサーバにより前記登録された利用者の携帯端末に前記服用時期の予告通知を行うメールの送信を行う。【選択図】図２
2005010881.tif 000002
【特許請求の範囲】
【請求項１】
登録された利用者の端末に服用する薬剤と服用日程の登録を促す画面を表示し、
Ｗｅｂサーバにより、前記登録された利用者の端末により入力された薬剤と服用日程を受信し、
前記登録された利用者に関連して、データサーバに前記受信した薬剤と服用日程を登録格納し、
前記登録された利用者ごとに前記データサーバに登録格納された服用日程を監視し、
前記服用日程における服用時期より所定の時間前に、メールサーバにより前記登録された利用者の端末に前記服用時期の予告通知を行うメールの送信を行う
ことを特徴とする薬剤服用支援方法。
【請求項２】
請求項１において、
前記服用時期の予告通知を行うメールの送信後であって、前記服用時期の経過後に前記メールサーバにより前記登録された利用者の端末に前記薬剤を服用したことの確認を促すメールを送ることを特徴とする薬剤服用支援プログラム。
【請求項３】
請求項１において、
前記データサーバに薬剤と服用周期を対応するテーブルを有し、
前記利用者の端末により入力された薬剤の服用日が、前記テーブルを参照して、前記薬剤と服用周期との対応と矛盾するときは、前記利用者の端末により薬剤と服用周期の入力を無効とすることを特徴とする薬剤服用支援方法。
【請求項４】
請求項１または２において、
前記メールサーバによりメールが送信される前記登録された利用者の端末は、携帯端末であることを特徴とする薬剤服用支援方法。
【請求項５】
登録された利用者の端末に服用する薬剤と服用日程の登録を促す画面を表示させ、
Ｗｅｂサーバにより、前記登録された利用者の端末により入力された薬剤と服用日程を受信させ、
データサーバに、前記登録された利用者の端末に対応する登録者に関連して、前記受信した薬剤と服用日程を登録格納させ、
前記データサーバに前記登録者ごとに、登録格納された服用日程を監視させ、前記服用日程における服用時期より所定の時間前に、メールサーバに前記登録された利用者の端末に前記服用時期の予告通知を行うメールの送信を行わす
ことを特徴とする薬剤服用支援プログラム。
【請求項６】
請求項５において、
前記服用時期の予告通知を行うメールの送信後であって、前記服用時期の経過後に前記メールサーバに、前記登録された利用者の端末に前記薬剤を服用したことの確認を促すメールを送させることを特徴とする薬剤服用支援プログラム。
【請求項７】
請求項５において、
前記データサーバに薬剤と服用周期を対応するテーブルを有し、前記登録された利用者の端末により入力された薬剤の服用日が、前記テーブルを参照して、前記薬剤と服用周期との対応と矛盾するときは、前記利用者の端末により入力された薬剤と服用周期を無効とさせることを特徴とする薬剤服用支援プログラム。
【請求項８】
請求項５または６において、
前記メールサーバによりメールが送信される前記登録された利用者の端末は、携帯端末であることを特徴とする薬剤服用支援プログラム。
【発明の詳細な説明】
【０００１】
【発明の属する技術分野】
本発明は、薬剤服用支援方法に関し、特に薬剤の継続服用を必要とする患者に対し適切な服用習慣を維持させることが可能な薬剤服用支援方法に関する。
【０００２】
【従来の技術】
近年、医療技術の発展により、一層の長寿化の社会に向かっている。しかし、一方で慢性的な疾患のある人の割合も高くなっている。特に、慢性的な疾病患者の場合、自宅療養を行ない、必要な薬剤の服用は、患者自身で服用を管理することが要求される。しかも、服用の期間は長期になることが一般的である。
【０００３】
例えば、慢性的な疾病の一つとして、骨粗鬆症がある。骨粗鬆症は、骨の量が減少し、骨折し易くなる疾患である。大腿骨頸部骨折は寝たきりにもつながり、高齢化社会ではその対策が重要である。これに対応して、骨を強くする薬剤が、近年国際的に使用されている。
【０００４】
治療患者は、骨量の年代分布から１／５程度しか治療されておらず、多くが潜在患者として存在する。自覚症状が無いために潜在化していると考えられる。実際、現在治療されている患者は、痛みを訴えて見つかるケースが多く、高齢者が多い。
【０００５】
上記のように骨粗鬆症では、自覚症状が無くても、治療を要する骨折リスクが高い患者であることがあり、無自覚症状故に治療継続を妨げる場合がある。
【０００６】
一方、疾病治療のための薬剤も、「毎日毎食後」に服用を要するものから、「一日一回」「一日朝一回」「週１回」服用するというものが販売中または開発中である。
【０００７】
ここで、「毎日毎食後」というように、短期の服用周期である場合は、飲み忘れなく適切に服用される。しかし、服用周期が長い場合は、服薬を必要とする患者にとって頻繁な服用の負担は軽減されるものの、服用忘れの機会が多くなり、結果として適切な治療継続を行えないことになる。
【０００８】
したがって、必要とする薬剤の飲み忘れをなくし、継続治療からの不必要な脱落を防止するために患者を支援するシステムの提供が望まれている。
【０００９】
一方、患者を在宅で治療するシステムが提案され、その在宅治療の一環として在宅における薬剤の適切な服用をモニタする技術が示されている（例えば、特許文献１）。
【００１０】
特許文献１に記載される技術に従うシステムは、医療機関におかれるサーバと、患者宅に置かれる宅内端末を用意し、この宅内端末から患者の生体情報の計測値や服薬の状況データを通信回線を通してサーバ側に送る。サーバ側では、これら患者の宅内端末から送られた情報に基づき治療経過を判断することを可能とするシステムである。
【００１１】
【特許文献１】
特開２００２−３６６５２号公報
【００１２】
【発明が解決しようとする課題】
しかし、かかるシステムでは、患者の服薬を支援するのみの場合であっても、患者宅に宅内端末を備えることが必要である。特に、上記したように骨粗鬆症のような疾病に対して薬物治療を必要とする潜在的な患者は多く、且つ長期に渉っての継続的な服用を必要とする。このような場合に対し、上記の特許文献１に示される技術を適用することは現実的でない。
【００１３】
したがって、このような点に鑑みて本発明の目的は、既存のインターネット資源を利用するシステムにより、薬剤の継続服用を必要とする、より多くの患者あるいは予防的に服薬を継続する利用者に対し、薬剤の服用における支援を行うことが可能な薬剤服用支援方法を提供することにある。
【００１４】
【課題を解決するための手段】
上記の本発明の目的を達成する薬剤服用支援方法の第１の態様は、登録された利用者の端末に服用する薬剤と服用日程の登録を促す画面を表示し、Ｗｅｂサーバにより、前記登録された利用者の端末により入力された薬剤と服用日程を受信し、前記登録された利用者に関連して、データサーバに前記受信した薬剤と服用日程を登録格納し、前記登録された利用者ごとに前記データサーバに登録格納された服用日程を監視し、前記服用日程における服用時期より所定の時間前に、メールサーバにより前記登録された利用者の端末に前記服用時期の予告通知を行うメールの送信を行うことを特徴とする。
【００１５】
上記の本発明の目的を達成する薬剤服用支援方法の第２の態様は、第１の態様において、前記服用時期の予告通知を行うメールの送信後であって、前記服用時期の経過後に前記登録された利用者の端末に前記薬剤を服用したことの確認を促すメールを送ることを特徴とする。
【００１６】
上記の本発明の目的を達成する薬剤服用支援方法の第３の態様は、第１の態様において、前記データサーバに薬剤と服用周期を対応するテーブルを有し、前記利用者の端末により入力された薬剤の服用日が、前記テーブルを参照して、前記薬剤と服用周期との対応と矛盾するときは、前記利用者の端末により薬剤と服用周期の入力を無効とすることを特徴とする。
【００１７】
上記の本発明の目的を達成する薬剤服用支援方法の第４の態様は、前記メールサーバによりメールが送信される前記登録された利用者の端末は、携帯端末であることを特徴とする。
【００１８】
さらに、以下に図面に従い説明される発明の実施の形態例から本発明の特徴が理解される。
【００１９】
【発明の実施の形態】
以下に、図面に従い本発明の実施の形態例を説明する。
【００２０】
図１は、本発明の薬剤服用支援方法が適用されるシステムの構成例である。薬剤服用支援を行う側に、インターネット１に接続されるＷｅｂサーバ２とメールサーバ３を有する。これらＷｅｂサーバ２とメールサーバ３にデータベースサーバ４が接続される。
【００２１】
服薬を必要とする患者側には、パソコン等の情報端末５が置かれインターネットサービスプロバイダ（ＩＳＰ）６によりインターネット１に接続される。さらに、前記の情報端末５の他に、後に説明する薬剤服用時期の通知を受ける受信用端末として携帯端末７が携帯事業者８によりインターネット１に接続される。
【００２２】
なお、情報端末５及び携帯端末７は、本発明方法の適用において、種々の機器が利用可能である。すなわち、図１に示すように独立の機器とするか、双方向通信機能を有するＴＶ受信機などの一体型装置を利用することも可能である。
【００２３】
ただし、薬剤の服用時期を通知される利用者の自由な移動に対応するためには、受信端末として図１に示す携帯端末７が好ましい。
【００２４】
ここで、以下の説明において、本発明の薬剤服用支援方法が適用されるシステムの患者側利用者は、患者自身または、年齢等により本発明の方法を適用するシステムへ患者自身での参加が困難である場合、患者の介護者または近親者を含む。
【００２５】
図２は、図１におけるシステムの本発明方法に従う動作手順を示すフロー図である。以下に図２を参照して図１のシステムの動作を説明する。
【００２６】
［会員登録］（図２：処理工程Ｐ１〜Ｐ４）
本発明により実現される薬剤服用支援を受けるために、利用者である患者自身、介護者または近親者（以下患者等という）は、会員登録をすることが必要である。
【００２７】
図３は、会員登録の手順に対応する情報端末５における画面データの遷移を示す図である。
【００２８】
利用者としての服薬を必要とする患者等は、薬剤を医療機関から受け取る際に、本支援サービスを受けるためにＷｅｂサーバ２のＵＲＬ（Ｕｎｉｆｏｒｍ  Ｒｅｓｏｕｒｃｅ  Ｌｏｃａｔｏｒ）の紹介を受ける。
【００２９】
利用者は、情報端末５をインターネット１に接続し、ブラウザソフトウェアにより前記ＵＲＬに対応するＷｅｂサーバ２のＷｅｂページを取得する（図２：処理工程Ｐ１）。図３において、取得したＷｅｂページのＴＯＰページ１０が情報端末５の画面に表示される。
【００３０】
このＴＯＰページ１０において、図３に拡大して示される会員登録項目１１の表示を指定する。
【００３１】
これにより、会員登録項目１１の表示を示すＨＴＭＬ（Ｈｉｐｅｒ  Ｔｅｘｔ  Ｍａｒｋｕｐ  Ｌａｎｇｕａｇｅ）に含まれるハイパーリンクにより同じサイト内のリンク先にある服用会員情報入力頁１２に接続される。
【００３２】
会員情報入力頁１２において、ログイン用ＩＤとパスワード、更に携帯端末７等の利用者端末でメールを受けるための携帯メールアドレスを入力する（図２：処理工程Ｐ２）。
【００３３】
これらの会員情報の入力が完了すると、図３において“次へ”の項目を入力する。これにより、ハイパーリンクにより同じサイト内のリンク先にある登録確認頁１３に移行する。登録確認頁１３には、会員情報入力頁１２で入力した情報内容が表示される。したがって、利用者は、登録前に入力した自身の会員情報の内容を確認できる。
【００３４】
登録確認頁１３において、入力した内容で正しければ、“登録”の項目を入力し、修正が必要であれば“修正”の項目を入力する。“修正”の項目を入力したときは、会員情報入力頁１２に戻り、先の入力動作が繰り返される。“登録”の項目を入力したときは、登録内容１４が、Ｗｅｂサーバ２からデータサーバ４に送られ（図２：処理工程Ｐ３）、データベース４に置かれる会員情報テーブルに登録格納される（図２：処理工程Ｐ４）。
【００３５】
図４は、データサーバ４における会員情報テーブルの一例である。会員情報登録の段階では、レコードごとに、会員ＩＤ、パスワード（Ｐａｓｓｗｏｒｄ）及び、メールアドレスが登録される。
【００３６】
次いで、会員情報テーブルに会員情報が登録されると、情報端末５において、登録完了のページ１４が表示される。これにより、利用者は、会員登録を確認し、ＴＯＰ  ＰＡＧＥのボタンを指示することによりＴＯＰページ１０に戻るようにリンクして、ＴＯＰページ１０が表示される。
【００３７】
さらに、会員情報テーブルに会員情報が登録されると、メール受信を行う利用者端末、ここでは実施例として携帯端末７のメールアドレスを確認すべく、メールサーバ３から携帯メール１５が、登録した携帯メールアドレスに送られる。
【００３８】
上記により、会員登録が完了する。なお、上記において、会員登録を情報端末５により行うことを説明したが、利用者の携帯端末７におけるブラウザソフトウエアにより表示される画面から上記と同様の手順により会員登録を行うことも可能である。
【００３９】
［お薬スケジュールの新規登録］（図２：処理工程Ｐ５〜Ｐ８）
上記により会員登録した利用者は、服薬のスケジュールを登録することが可能である。図５は、お薬スケジュールの新規登録の手順に対応する情報端末５における画面データの遷移を示す図である。
【００４０】
会員利用者は、情報端末５をインターネット１に接続し、ブラウザソフトウェアにより前記ＵＲＬに対応するＷｅｂサーバ２のＷｅｂページを取得する（図２：処理工程Ｐ５）。図５において、取得したＷｅｂページ１０のＴＯＰページが情報端末５の画面に表示される。
【００４１】
このＷｅｂページ１０において、図５に拡大して示されるお薬スケジュールの新規登録項目２０の表示を指定する。これにより、新規登録項目２０の表示（お薬スケジュールの新規登録）を示すＨＴＭＬ（Ｈｉｐｅｒ  Ｔｅｘｔ  Ｍａｒｋｕｐ  Ｌａｎｇｕａｇｅ）に含まれるハイパーリンクにより同じサイト内のリンク先にある図示しないログイン用ＩＤ  及びパスワードを入力頁が表示される。この入力ページで入力されたログイン用ＩＤ  及びパスワードが、Ｗｅｂサーバ２に送られる。Ｗｅｂサーバ２は、先にデータベースサーバ４に格納されている登録者情報テーブル（図４）の会員ＩＤとパスワードとを比較する。一致が取れた場合は、情報端末５の画面は、服用スケジュール入力頁２１にリンクされる。
【００４２】
この服用スケジュール入力頁２１には、服用する薬剤名１２０が、プルダウンにより表示選択出来るように示される。さらに、この頁にいつ服用するかのチェック入力欄１２１、服用時刻を予告通知してもらうための時刻を指定する欄１２２を有する。
【００４３】
なお、服用する薬剤名と予告通知してもらうための時刻を入力する際、ＨＴＭＬに付属する、図６に示す薬剤と服用する周期の関係を示すテーブルの内容とが比較される。これにより、利用者が入力しようとする薬剤と服用する周期の関係に矛盾があると、入力阻止状態にされる。かかる制御は、Ｗｅｂサーバ２上にあるＪＡＶＡ（登録商標）サーブレットにより処理された結果が情報端末５に送られ表示されるか、Ｗｅｂサーバ２から情報端末５に送られるＪＡＶＡアプレットにより実現可能である。なお、図６において、服用周期の意味は次の様である。１Ｗは、１週間に１度を示し、１Ｄは毎日１回を示し、２Ｄは、一日置きの意味である。
【００４４】
上記のように、薬剤と服用する周期に矛盾無く服用スケジュール入力頁２１における入力が完了する（処理工程Ｐ５）と、“次へ”の項目を入力する。これにより、ハイパーリンクにより同じサイト内のリンク先にある登録確認頁２２に移行する。登録確認頁２２には、スケジュール入力頁２１で入力した内容が表示される。したがって、利用者は、スケジュールの登録前に入力した内容を確認できる。
【００４５】
入力した内容で正しければ、“登録”の項目を入力し、修正が必要であれば“修正”の項目を入力する。“修正”の項目を入力したときは、服用スケジュール入力頁２１に戻り、先の入力動作が繰り返される。“登録”の項目を入力したときは、登録内容２２が、Ｗｅｂサーバ２からデータサーバ４に送られ（図２：処理工程Ｐ７）、図４に示す登録者情報テーブルに服用薬剤及び服用時期がデータサーバ４に追記登録格納される（図２：処理工程Ｐ８）。さらに、情報端末５において、登録”の項目を入力したときは、ＴＯＰページ１５にリンクする。
【００４６】
ちなみに、図４において示されている服用薬剤と服用時期は、次の様である。レコード１の会員については、薬剤は＊＊＊ミン、服用時期は毎日８：００とすることが登録されている。レコード３の利用者に対しては、薬剤は＊＊＊ロネート、服用時期は毎週月曜日（Ｍ）とすることが登録されている。レコード６の利用者に対しては、薬剤は＊＊＊ビン、服用時期は隔日の２０：００とすることが登録されている。これらの服用スケジュールとして登録された状態は、図６に示した薬剤名と服用時期の関係とは矛盾していない。
【００４７】
一方、メールサーバ３から登録者情報テーブルに登録された通知２４が携帯端末５に配信され、利用者は登録した薬剤及び服用時期を更に確認できる。
【００４８】
［服用時期予告と服用確認］（図２：処理工程Ｐ９〜Ｐ１５）
上記のとおり薬剤及び服用時期がデータサーバ２に登録されると、利用者宛の服用時期の予告通知が次のように行われる。
【００４９】
図７は、服用時期予告と服用確認の工程における携帯端末７の表示画面の遷移を示す図である。データサーバ２は、登録者情報テーブルに基づき、利用者ごとの服用時期を監視する（図２：ステップＳ９）。予め登録されたメール配信時刻にメールサーバ３から服用時期を予告するメールが該当の利用者に送られ（図２：処理工程Ｐ１０）、登録してある利用者端末例えば、携帯端末７に表示される（図２：処理工程Ｐ１１）。
【００５０】
この服用時期を予告するメールの例が図７Ａに示される。このとき、図７Ａに表示する内容のみでなく、利用者の薬剤服用に関連する情報を提供するように構成することも可能である。
【００５１】
例えば、服用する薬剤の服用方法のお知らせ、その他の情報として、治療対象とする疾病（例えば、骨粗鬆症）に関する生活指導内容（食事、運動）、骨関連の知識情報、さらに治療対象とする疾病と関係ない利用者一般に興味を抱かせる情報、例えば“おみくじ”、登録した利用者に対応する“ホロスコープ”等の情報である。
【００５２】
さらに、メールサーバ３から服用時期を所定時間経過したときに、図７Ｂに示す服用確認のメールが先の携帯端末７のアドレスに送られる（図２：処理工程Ｐ１２）。
【００５３】
利用者が使用確認ボタンを指示すると、薬剤名と服用時刻を表示して服用確認を求める図７Ｃに示すページに移行する。ここで、利用者は、対象の薬剤を既に服用している場合はその時点で、未だ服用前であれば、服用後に図７Ｃに示すページの服用済みボタンを指示する。したがって、使用確認がメールサーバ３に送られる（図２：処理工程Ｐ１４）、データサーバ４に利用者服用状況ログデータとして保存される（処理工程Ｐ１５）。
【００５４】
【発明の効果】
上記に、図に従い実施の形態例を説明したように、本発明により登録された薬剤及びその服用スケジュールに対応して、適切な服用すべき時期の予告と、服用確認要求の通知が利用者の携帯端末に送られる。これにより利用者において、服用時期を忘れることが防止され、薬剤の服用周期の長い場合であっても適切な服薬習慣を維持すること可能である。
【図面の簡単な説明】
【図１】本発明の薬剤服用支援方法が適用されるシステムの構成例を示す図である。
【図２】図１におけるシステムの本発明方法に従う動作手順を示すフロー図である。
【図３】会員登録の手順に対応する情報端末５における画面データの遷移を示す図である。
【図４】データサーバ４における会員情報テーブルの一例を示す図である。
【図５】お薬スケジュールの新規登録の手順に対応する情報端末５における画面データの遷移を示す図である。
【図６】薬剤と服用する周期の関係を示すテーブルの例を示す図である。
【図７】服用時期予告と服用確認の工程における携帯端末７の表示画面の遷移を示す図である。
【符号の説明】
１  インターネット
２  Ｗｅｂサーバ
３  メールサーバ
４  データベースサーバ
５  情報端末
６  インタネットサービスプロバイダ（ＩＳＰ）
７  携帯端末
８  携帯事業者
【図１】
2005010881.tif 000003
【図２】
2005010881.tif 000004
【図３】
2005010881.tif 000005
【図４】
2005010881.tif 000006
【図５】
2005010881.tif 000007
【図６】
2005010881.tif 000008
【図７】
2005010881.tif 000009